【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御する制御部と、
前記本体の外部から前記制御部に対して運転条件を入力する操作部と、
前記操作部の入力結果を表示する表示部と、
外部と信号の授受を行うための通信部と、
保湿用空気の放出方向の延長線上における人の存在を検知する人感知センサーと、
を備えた保湿用空気供給機において、
保湿運転を決定する運転プログラムを記憶させ、また前記通信部を介して受け取った睡眠時間帯のデータを記憶する記憶部を備え、
前記操作部には、前記記憶部に記憶させた睡眠時間帯の中で、前記保湿運転が開始され、かつ終了するように保湿運転の運転時間の自動調節を前記制御部に指令する入力キーを設け、
さらに、前記制御部は、使用者が運転開始指令を与えてから、所定時間内に前記人感知センサーで、人が感知できない場合、消費電力を減らしたスタンバイ・モードに移行することを特徴とする保湿用空気供給機。
【請求項２】
前記通信部は、外部の情報通信端末機器と近距離無線通信を行うための無線通信部であり、
前記制御部は、前記情報通信端末機器を前記無線通信部に接近させて当該情報通信端末機器から使用者の睡眠時間帯のデータを受け取ることができることを示す情報を前記表示部に表示させることを特徴とする請求項１に記載の保湿用空気供給機。
【請求項３】
前記吹出口は、前記本体の正面上部に設けられ、
前記人感知センサーは、前記吹出口よりも上方であって前記本体の正面上部に設けられていることを特徴とする請求項１に記載の保湿用空気供給機。
【請求項４】
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御する制御部と、
前記本体の外部から前記制御部に対して運転条件を入力する操作部と、
前記操作部の入力結果を表示する表示部と、
外部と信号の授受を行うための通信部と、
保湿用空気の放出方向の延長線上における人の存在を検知する人感知センサーと、
を備えた保湿用空気供給機において、
保湿運転を決定する運転プログラムを記憶させる記憶部と、
前記通信部を介して受け取った睡眠時間帯のデータを記憶する記憶部と、を備え、
前記制御部は、前記通信部を介して受け取った前記睡眠時間帯のデータを前記記憶部に記憶させ、
さらに前記操作部には、前記記憶部に記憶させた睡眠時間帯の中で、前記保湿運転が開始され、かつ終了するように保湿運転の運転時間の自動調節を前記制御部に指令する入力キーを設け、
さらに、前記制御部は、前記蒸気発生部から蒸気を発生させ保湿運転を開始した後、前記人感知センサーにより使用者の存在を監視させ、使用者が感知できない場合には、消費電力を減らした中断モードに移行することを特徴とする保湿用空気供給機。
【請求項５】
前記通信部は、外部の情報通信端末機器と近距離無線通信を行うための無線通信部であり、
前記制御部は、前記情報通信端末機器を前記無線通信部に接近させて当該情報通信端末機器から使用者の睡眠時間帯のデータを受け取ることができることを示す情報を前記表示部に表示させることを特徴とする請求項４に記載の保湿用空気供給機。
【請求項６】
前記吹出口は、前記本体の正面上部に設けられ、
前記人感知センサーは、前記吹出口よりも上方であって前記本体の正面上部に設けられていることを特徴とする請求項４に記載の保湿用空気供給機。
【請求項７】
保湿用空気供給機と、
就寝者の睡眠時間を計測するため睡眠センサーから生体情報を受信して睡眠時間帯を判定する睡眠判定装置と、
前記睡眠判定装置から睡眠時間帯を示す判定データを取得するとともに、前記保湿用空気供給機に対して無線通信手段を介して前記睡眠時間帯を示すデータを提供する統合管理装置と、を備え、
前記保湿用空気供給機には、前記統合管理装置から送信された睡眠時間帯を示すデータを記憶する機器側記憶部と、保湿運転を制御する制御部と、を有し、
前記保湿用空気供給機の制御部は、前記統合管理装置から取得した前記睡眠時間帯を示すデータに基づいて、当該睡眠時間帯の中で、前記保湿運転が開始され、かつ終了するように保湿運転のタイミングを合わせる動作プログラムを有し、
前記保湿用空気供給機には、保湿用空気の放出方向の延長線上における人の存在を検知する人感知センサーを設け、
前記睡眠判定装置が人の入眠を検出した段階から覚醒を検出した段階までの期間中に、保湿運転の開始と終了が行われるように、前記統合管理装置は、保湿用空気供給機の運転時間を制御し、
保湿運転開始前の段階で、前記人感知センサーが人の存在を検出できなくなった場合、前記統合管理装置は、前記睡眠判定装置からの睡眠時間に関するデータの取得を一時的に停止し、それまでに取得した睡眠時間に関するデータを記憶装置に保存することを特徴とする保湿用空気供給制御システム。
【請求項８】
前記統合管理装置には、操作入力部と表示画面を有し、
保湿運転開始前に前記人感知センサーが人の存在を検出できなくなった場合、それまでに取得し、前記統合管理装置が保存した睡眠時間に関するデータは、前記操作入力部の操作により、前記表示画面に表示させることを特徴とする請求項７に記載の保湿用空気供給制御システム。
【請求項９】
前記睡眠判定装置は、前記統合管理装置と無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項７に記載の保湿用空気供給制御システム。
【請求項１０】
前記睡眠判定装置は、前記保湿用空気供給機と近距離無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項７に記載の保湿用空気供給制御システム。
【請求項１１】
前記統合管理装置には、前記就寝者の居る居住空間の気温等の環境を計測する環境検知部を有し、
前記統合管理装置は、前記睡眠判定装置から取得した睡眠時間帯に関するデータと前記環境検知部から送信された環境データとが、対になって時系列で記憶される記憶装置、を備えたことを特徴とする請求項７に記載の保湿用空気供給制御システム。
【請求項１２】
前記統合管理装置には、前記保湿用空気供給機を含む複数の家電機器の個々の使用場所を示す位置情報と、家電機器が室内へ空気を循環させ、又は吹きだす空気調和機であるかどうかを識別する識別情報とが登録されており、
前記保湿用空気供給機を使用する信号が前記統合管理装置に送信された場合、前記統合管理装置は、当該保湿用空気供給機を使用する居住空間に、前記空気調和機が存在するかどうかを判定し、存在する場合には、当該空気調和機の運転条件を制限する指令を当該空気調和機に発信することを特徴とする請求項７に記載の保湿用空気供給制御システム。
【請求項１３】
前記統合管理装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項１２に記載の保湿用空気供給制御システム。
【請求項１４】
前記統合管理装置は、保湿用空気供給機に対して運転許可信号を送信する前に、前記空気調和機の空調風の強度が、所定レベル以下の場合には、運転条件が所定条件を満たすと判定することを特徴とする請求項１３に記載の保湿用空気供給制御システム。
【請求項１５】
保湿用空気供給機を含む複数の家電機器と個々に通信を行い、それら家電機器を個々に制御して家庭内の総電力量を制御する電力指令装置と、
就寝者の睡眠時間を計測するため睡眠センサーから生体情報を受信して睡眠時間帯を判定する睡眠判定装置と、
前記保湿用空気供給機と近距離無線通信する無線通信部を備えた情報通信端末機器と、を備え、
前記電力指令装置には、前記睡眠判定装置から無線通信で取得した睡眠時間帯を示すデータを記憶する記憶装置を有し、
前記保湿用空気供給機には、前記無線通信部と通信状態が確立できる機器側通信部と、この機器側通信部から読み込まれたデータを記憶する機器側記憶部と、保湿用空気の放出方向の延長線上における人の存在を検知する人感知センサーと、前記人感知センサーの感知結果に応じて保湿運転の条件を変更する制御部と、を有し、
前記情報通信端末機器は、前記電力指令装置の記憶装置に記憶された睡眠時間データを、前記無線通信部を介して読み出し、当該データを前記保湿用空気供給機の機器側記憶部に前記無線通信部を介して送信し、
前記制御部は、前記機器側通信部から受信した前記睡眠時間のデータを前記機器側記憶部に記憶させ、
さらに前記保湿用空気供給機の制御部は、前記機器側記憶部に記憶させた睡眠時間帯に、前記保湿運転の時間帯が重なるよう保湿運転のタイミングを自動的に合わせることを特徴とする家電機器の運転管理システム。
【請求項１６】
前記睡眠判定装置は、前記電力指令装置と無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項１５に記載の家電機器の運転管理システム。
【請求項１７】
前記睡眠判定装置は、前記保湿用空気供給機と近距離無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項１５に記載の家電機器の運転管理システム。
【請求項１８】
前記電力指令装置には、前記就寝者の居る居住空間の気温等の環境を計測する環境検知部を有し、
前記電力指令装置は、前記睡眠判定装置から取得した睡眠時間帯に関するデータと前記環境検知部から送信された環境データとが、対になって時系列で記憶される記憶装置、を備えたことを特徴とする請求項１５に記載の家電機器の運転管理システム。
【請求項１９】
前記電力指令装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記電力指令装置に送信された場合、前記電力指令装置は、当該保湿用空気供給機を使用する居住空間に、前記空気調和機が存在するかどうかを判定し、存在する場合には、当該空気調和機の運転条件を制限する指令を当該空気調和機に発信することを特徴とする請求項１５に記載の家電機器の運転管理システム。
【請求項２０】
前記電力指令装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項１９に記載の家電機器の運転管理システム。
【請求項２１】
前記電力指令装置は、保湿用空気供給機に対して運転許可信号を送信する前に、前記空気調和機の空調風の強度が、所定レベル以下の場合には、運転条件が所定条件を満たすと判定することを特徴とする請求項２０に記載の家電機器の運転管理システム。
【請求項２２】
可搬式の保湿用空気供給機及び空気調和機を含む複数の家電機器と個々に通信を行い、それら家電機器を個々に制御する統合管理装置と、
就寝者の睡眠時間を計測する睡眠センサーから生体情報を受信して睡眠状態を判定する睡眠判定装置と、
広域通信回路網を介して前記統合管理装置と通信する第１の無線通信部と、家庭内の通信網を介して又は近距離無線通信部を介して通信する第２の無線通信部と、を有する情報通信端末機器と、を備え、
前記統合管理装置には、前記睡眠判定装置からの睡眠判定結果を示す情報を受信する入力部と、前記保湿用空気供給機の使用者の居る居住空間の気温等の環境を計測する環境検知部と、睡眠判定装置で取得した睡眠時間帯データと前記環境検知部から送信された環境データとを、対にして時系列で記憶する記憶装置、を有し、
前記保湿用空気供給機には、前記統合管理装置と通信状態が確立できる機器側の第１の通信部と、前記情報通信端末機器と近距離無線通信により通信状態が確立できる機器側の第２の無線通信部と、これら２つの機器側通信部から読み込まれたデータを記憶する機器側記憶部と、運転の開始指令と運転条件を入力する操作部と、この操作部の入力結果を表示する表示画面と、保湿用空気の放出方向の延長線上における人の存在を検知する人感知センサーと、前記人感知センサーの感知結果に応じて保湿運転の条件を変更する制御部と、を有し、
前記保湿用空気供給機の制御部は、前記統合管理装置から送信された前記睡眠時間帯データを前記機器側記憶部に記憶させ、
さらに前記保湿用空気供給機の制御部は、前記機器側記憶部に記憶させた睡眠時間の中で、前記保湿運転が開始され、かつ終了するように保湿運転のタイミングを自動的に合わせる動作を行い、
前記保湿用空気供給機の制御部は、前記操作部の入力操作に応じて前記機器側記憶部に記憶させてある前記睡眠時間帯データと、当該睡眠時間の計測時に前記環境検知部が計測した環境データとを、前記表示画面に表示させることを特徴とする家電機器の運転管理システム。
【請求項２３】
前記睡眠判定装置は、前記統合管理装置と無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項２２に記載の家電機器の運転管理システム。
【請求項２４】
前記睡眠判定装置は、前記保湿用空気供給機と近距離無線通信によって睡眠時間データを送信可能な入出力部と、使用者の体の一部の加速度を検出する加速度センサーと、使用者の生体データを検出する生体センサーと、これら２種類のセンサーが計測したデータを取得し、睡眠状態にあるかどうかを判定する睡眠判定部と、計測した人のデータを選択するデータ選択部と、睡眠判定データの記憶部と、を備えていることを特徴とする請求項２２に記載の家電機器の運転管理システム。
【請求項２５】
前記統合管理装置には、前記就寝者の居る居住空間の気温等の環境を計測する環境検知部を有し、
前記統合管理装置は、前記睡眠判定装置から取得した睡眠時間帯に関するデータと前記環境検知部から送信された環境データとが、対になって時系列で記憶される記憶装置、を備えたことを特徴とする請求項２２に記載の家電機器の運転管理システム。
【請求項２６】
前記統合管理装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記統合管理装置に送信された場合、前記統合管理装置は、当該保湿用空気供給機を使用する居住空間に、前記空気調和機が存在するかどうかを判定し、存在する場合には、当該空気調和機の運転条件を制限する指令を当該空気調和機に発信することを特徴とする請求項２２に記載の家電機器の運転管理システム。
【請求項２７】
前記統合管理装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項２６に記載の家電機器の運転管理システム。
【請求項２８】
前記統合管理装置は、保湿用空気供給機に対して運転許可信号を送信する前に、前記空気調和機の空調風の強度が、所定レベル以下の場合には、運転条件が所定条件を満たすと判定することを特徴とする請求項２７に記載の家電機器の運転管理システム。
【請求項２９】
保湿用空気供給機と、
就寝者の睡眠時間を計測するため睡眠センサーから生体情報を受信して睡眠時間帯を判定する睡眠判定処理部を有し、当該睡眠判定データを前記保湿用空気供給機に対して提供する統合管理装置と、を備え、
前記保湿用空気供給機には、前記統合管理装置から送信された睡眠時間帯を示すデータを記憶する機器側記憶部と、保湿運転を制御する制御部と、を有し、
前記保湿用空気供給機の制御部は、前記統合管理装置から取得した前記睡眠時間帯を示すデータに基づいて、当該睡眠時間帯の中で、前記保湿運転が開始され、かつ終了するように保湿運転のタイミングを合わせる動作プログラムを有し、
前記保湿用空気供給機には、保湿用空気の放出方向の延長線上における人の存在を検知する人感知センサーを設け、
前記睡眠判定処理部で検出された入眠の時点から覚醒の時点までの期間中に、保湿運転の開始と終了が行われるように、前記統合管理装置は、前記保湿用空気供給機の運転時間を制御し、
保湿運転開始前の段階で、前記人感知センサーが人の存在を検出できなくなった場合、前記統合管理装置は、前記睡眠判定処理部からそれまでに取得した睡眠時間に関するデータを前記機器側記憶部に保存することを特徴とする家電機器の運転管理システム。
【請求項３０】
前記統合管理装置には、前記就寝者の居る居住空間の気温等の環境を計測する環境検知部を有し、
前記統合管理装置は、前記睡眠判定処理部から取得した睡眠時間帯に関するデータと前記環境検知部から送信された環境データとが、対になって時系列で記憶される記憶装置、を備えたことを特徴とする請求項２９に記載の家電機器の運転管理システム。
【請求項３１】
前記統合管理装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記統合管理装置に送信された場合、前記統合管理装置は、当該保湿用空気供給機を使用する居住空間に、前記空気調和機が存在するかどうかを判定し、存在する場合には、当該空気調和機の運転条件を制限する指令を当該空気調和機に発信することを特徴とする請求項２９に記載の家電機器の運転管理システム。
【請求項３２】
前記統合管理装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項３１に記載の家電機器の運転管理システム。
【請求項３３】
前記統合管理装置は、保湿用空気供給機に対して運転許可信号を送信する前に、前記空気調和機の空調風の強度が、所定レベル以下の場合には、運転条件が所定条件を満たすと判定することを特徴とする請求項３２に記載の家電機器の運転管理システム。
【請求項３４】
保湿用空気供給機と、
前記保湿用空気供給機を含む複数の家電機器と個々に通信を行い、それら家電機器を個々に制御して家庭内の総電力量を制御する電力指令装置と、
保湿用空気供給機と近距離無線通信する無線通信部を備えた情報通信端末機器と、を備え、
前記電力指令装置には、就寝者の睡眠時間を計測するため睡眠センサーから生体情報を受信して睡眠時間帯を判定する睡眠判定処理部と、当該睡眠判定処理部から取得した睡眠時間帯を示すデータを記憶する記憶装置とを有し、
前記保湿用空気供給機には、前記無線通信部と通信状態が確立できる機器側通信部と、この機器側通信部から読み込まれたデータを記憶する機器側記憶部と、保湿用空気の放出方向の延長線上における人の存在を検知する人感知センサーと、前記人感知センサーの感知結果に応じて保湿運転の条件を変更する制御部と、を有し、
前記情報通信端末機器は、前記電力指令装置の記憶装置に記憶された睡眠時間データを、前記無線通信部を介して読み出し、当該データを前記保湿用空気供給機の機器側記憶部に前記無線通信部を介して送信し、
前記制御部は、前記機器側通信部から受信した前記睡眠時間のデータを前記機器側記憶部に記憶させ、
さらに前記保湿用空気供給機の制御部は、前記機器側記憶部に記憶させた睡眠時間帯のデータに基づき、当該睡眠時間内に保湿運転が終了するよう、その保湿運転時間を自動的に合わせることを特徴とする家電機器の運転管理システム。
【請求項３５】
前記電力指令装置には、前記就寝者の居る居住空間の気温等の環境を計測する環境検知部を有し、
前記電力指令装置は、前記睡眠判定処理部から取得した睡眠時間帯に関するデータと前記環境検知部から送信された環境データとが、対になって時系列で記憶される記憶装置と、を備えたことを特徴とする請求項３４に記載の家電機器の運転管理システム。
【請求項３６】
前記電力指令装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記電力指令装置に送信された場合、前記電力指令装置は、当該保湿用空気供給機を使用する居住空間に、前記空気調和機が存在するかどうかを判定し、存在する場合には、当該空気調和機の運転条件を制限する指令を当該空気調和機に発信することを特徴とする請求項３４に記載の家電機器の運転管理システム。
【請求項３７】
前記電力指令装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項３６に記載の家電機器の運転管理システム。
【請求項３８】
前記電力指令装置は、保湿用空気供給機に対して運転許可信号を送信する前に、前記空気調和機の空調風の強度が、所定レベル以下の場合には、運転条件が所定条件を満たすと判定することを特徴とする請求項３７に記載の家電機器の運転管理システム。
【手続補正２】
【補正対象書類名】明細書
【補正対象項目名】００１２
【補正方法】変更
【補正の内容】
【００１２】
第２の発明になる保湿用空気供給機は、
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御する制御部と、
前記本体の外部から前記制御部に対して運転条件を入力する操作部と、
前記操作部の入力結果を表示する表示部と、
外部と信号の授受を行うための通信部と、
保湿用空気の放出方向の延長線上における人の存在を検知する人感知センサーと、
を備えた保湿用空気供給機において、
保湿運転を決定する運転プログラムを記憶させる記憶部と、
前記通信部を介して受け取った睡眠時間帯のデータを記憶する記憶部と、を備え、
前記制御部は、前記通信部を介して受け取った前記睡眠時間帯のデータを前記記憶部に記憶させ、
さらに前記操作部には、前記記憶部に記憶させた睡眠時間帯の中で、前記保湿運転が開始され、かつ終了するように保湿運転の運転時間の自動調節を前記制御部に指令する入力キーを設け、
さらに、前記制御部は、前記蒸気発生部から蒸気を発生させ保湿運転を開始した後、前記人感知センサーにより使用者の存在を監視させ、使用者が感知できない場合には、消費電力を減らした中断モードに移行することを特徴とするものである。
【手続補正３】
【補正対象書類名】明細書
【補正対象項目名】００１８
【補正方法】変更
【補正の内容】
【００１８】
第５の発明になる家電機器の運転管理システムは、
可搬式の保湿用空気供給機及び空気調和機を含む複数の家電機器と個々に通信を行い、それら家電機器を個々に制御する統合管理装置と、
就寝者の睡眠時間を計測する睡眠センサーから生体情報を受信して睡眠状態を判定する睡眠判定装置と、
広域通信回路網を介して前記統合管理装置と通信する第１の無線通信部と、家庭内の通信網を介して又は近距離無線通信部を介して通信する第２の無線通信部と、を有する情報通信端末機器と、を備え、
前記電力指令装置には、前記睡眠判定装置からの睡眠判定結果を示す情報を受信する入力部と、前記保湿用空気供給機の使用者の居る居住空間の気温等の環境を計測する環境検知部と、睡眠判定装置で取得した睡眠時間帯データと前記環境検知部から送信された環境データとを、対にして時系列で記憶する記憶装置、を有し、
前記保湿用空気供給機には、前記統合管理装置と通信状態が確立できる機器側の第１の通信部と、前記情報通信端末機器と近距離無線通信により通信状態が確立できる機器側の第２の無線通信部と、これら２つの機器側通信部から読み込まれたデータを記憶する機器側記憶部と、運転の開始指令と運転条件を入力する操作部と、この操作部の入力結果を表示する表示画面と、保湿用空気の放出方向の延長線上における人の存在を検知する人感知センサーと、前記人感知センサーの感知結果に応じて保湿運転の条件を変更する制御部と、を有し、
前記保湿用空気供給機の制御部は、前記集中管理装置から送信された前記睡眠時間帯データを前記機器側記憶部に記憶させ、
さらに前記保湿用空気供給機の制御部は、前記機器側記憶部に記憶させた睡眠時間の中で、前記保湿運転が開始され、かつ終了するように保湿運転のタイミングを自動的に合わせる動作を行い、
前記保湿用空気供給機の制御部は、前記操作部の入力操作に応じて前記機器側記憶部に記憶させてある前記睡眠時間帯データと、当該睡眠時間の計測時に前記環境検知部が計測した環境データとを、前記表示画面に表示させることを特徴とするものである。
【手続補正４】
【補正対象書類名】明細書
【補正対象項目名】００４１
【補正方法】変更
【補正の内容】
【００４１】
本実施の形態１において、後述する保湿用空気供給機２０の「記憶装置」（記憶部）とは、特に明記ない限り、制御装置３３の記憶部３３ＲとＮＦＣ記憶部３１の一方又は両方をいうものとする。
【手続補正５】
【補正対象書類名】明細書
【補正対象項目名】００５４
【補正方法】変更
【補正の内容】
【００５４】
前記人感知センサー１０、１１は、人が居るかどうかを検出した結果を、無線又は電気信号で後述する電力指令装置５の人検知部１２に送信する機能を有している。またその電源は、事前に充電された電池でも良いし、前記電源線１から分岐して供給される電力を使用しても良い。またこれらセンサーの消費電力は１Ｗ〜数Ｗ程度の小さいものであるため、前記電源線１からの電力で運転する場合でも、電力指令装置５の電力制限対象にはしていないので、所定のタイミング（例えば１０秒毎）で電力指令装置５へ計測データを継続的に送信している。なお、人感知センサー１０、１１は、赤外線式だけに限定されず、他の方式、例えば超音波方式のものを採用しても良い。
【手続補正６】
【補正対象書類名】明細書
【補正対象項目名】００５５
【補正方法】変更
【補正の内容】
【００５５】
引き続いて図１を説明する。１３は、前記ＴＶ受像機２のチューナ（図示せず）に接続されている屋外アンテナ、１４Ａは、前記電力指令装置５に接続されたルーターＡであり、このルーターＡは、電力指令装置５を電力会社やその家屋の地域に情報を発信する地域地震情報提供機関等の外部機関１５Ａにインターネット等の広域通信回路網（「通信ネットワーク」又は「インターネット」と称する場合がある）１６を介して接続している。
【手続補正７】
【補正対象書類名】明細書
【補正対象項目名】００８１
【補正方法】変更
【補正の内容】
【００８１】
前記無線入出力部４０は、電力指令装置５における表示盤３７の操作入力部３９の直ぐ近くの下方に、常時「ＮＦＣ」の文字を表示して設けてある。これにより、無線入出力部４０の設置位置が明確になるようにしてある。
【手続補正８】
【補正対象書類名】明細書
【補正対象項目名】００８４
【補正方法】変更
【補正の内容】
【００８４】
３６は、前記したように、３つの無線通信用の入出力部３０Ａ〜３０Ｃや、表示画面３７Ａを集中的に制御する制御部である。またこの制御部３６は、後述するように、家電機器ＥＥに対して、電力削減要請信号ＡＳ２、電力削減指令信号ＡＳ３の送信を指令する。保湿用空気供給機２０は、「第１の家電機器」ではないので、電力指令装置５の入出力部３０Ａから前記電力削減要請信号ＡＳ２、電力削減指令信号ＡＳ３を受信することはない。
【手続補正９】
【補正対象書類名】明細書
【補正対象項目名】００８６
【補正方法】変更
【補正の内容】
【００８６】
また制御部３６には、保湿用空気供給機２０の関係で専用の「第２の記憶部」となる第２のメモリー（図示せず）３６Ｂを保有しており、睡眠判定部２１８によって取得された睡眠時間、時刻等の各種データやその解析結果の情報（睡眠判定データ）が、それを実際に取得した日付や時刻等の詳細情報と対になって時系列に記憶されている。
【手続補正１０】
【補正対象書類名】明細書
【補正対象項目名】００８７
【補正方法】変更
【補正の内容】
【００８７】
さらに、この第２の記憶部３６Ｂには、保湿用空気供給機２０の保湿運転中において、保湿用空気供給機２０が使用された居住空間における環境情報又は環境データ（例えば、気温、湿度）が、その保湿運転時間と対になって時系列で記録される。例えば、入眠時刻が２３時１０分であった場合、それから１０分ごとに環境検知部９によって取得された気温と湿度の環境データが、その時刻情報と共に順次記憶され、睡眠時間帯が例えば２３時１０分から午前５時１０分までの６時間と確定した段階、その６時間平均の気温と湿度が制御部３６によって算出できるようになっている。従って環境データに基づく「環境快適度」等の「環境情報」の生成も可能となる。
【手続補正１１】
【補正対象書類名】明細書
【補正対象項目名】００８８
【補正方法】変更
【補正の内容】
【００８８】
なお、前記入出力部３０Ａは、電力指令装置５がインターネット経由で入手した各電気機器ＥＥの動作プログラム改善用の特定のコンピュータ・プログラムソフトウェアを読み込む際に使用される。
【手続補正１２】
【補正対象書類名】明細書
【補正対象項目名】００９０
【補正方法】変更
【補正の内容】
【００９０】
前記環境検知部９には、各居住空間ＨＡの中に、それぞれ照度センサー（図示せず）を設置している。その照度センサーは、居住空間が明るいか暗いかを見分けるためのものであり、例えば前記人検知部１２が、ある居住空間ＨＡに人がいないと判断している状況で、照度センサーが明るい状態であることを示している場合、居住者が照明器具４を点灯したままの状態であることを忘れている可能性が考えられる。そこでこのような場合は、電力指令装置５の制御部３６は、その時点での総電力使用量が使用限度設定器で設定された上限値よりも十分に余裕のある少ない量であったとしても、電気エネルギーの無駄を無くすという観点から照明器具４の消灯を使用者に（表示画面３７ＡやＴＶ受像機２の表示画面を通じて）勧告する。その後、電力指令装置５の制御部３６は消灯指令信号を当該照明器具に発する（但し、当該照明器具４を電力指令装置５の電力削減対象機器になるように、接続しておくことが必要）。
【手続補正１３】
【補正対象書類名】明細書
【補正対象項目名】００９１
【補正方法】変更
【補正の内容】
【００９１】
図３において、４３は在宅検知手段（「在宅検知部」ともいう）であり、前記人検知部１２からの人の存在を検知しているかどうかの検知信号を受ける構成になっている。
また居住空間ＨＡの共通した出入口である玄関（図示せず）の外側には、電気錠４２が設置されており、その電子錠に入力された暗証番号や生体情報（例えば指紋情報）に基づいて、居住者が帰宅したことを検知する個人認証手段（図示せず）を備えている。この個人認証装置では居住者からのパスワードの入力に基づいて、居住者であるかどうかを判定するが、その判定結果を前記在宅検知手段４３に送信する構成になっている。
【手続補正１４】
【補正対象書類名】明細書
【補正対象項目名】０１１０
【補正方法】変更
【補正の内容】
【０１１０】
７０Ａは、前記本体ケース４９の前壁（正面壁）６１に押圧操作可能に支持された主電源スイッチ７０（図６参照）の押しボタン。６９は、保湿用空気供給機２０のホストコンピュータとして機能する制御装置３３の中核を構成するマイクロコンピューターや、前記発光ダイオード素子（ＬＥＤ）、液晶画面９５の駆動用電子回路部品等を実装した回路基板である。
【手続補正１５】
【補正対象書類名】明細書
【補正対象項目名】０１１２
【補正方法】変更
【補正の内容】
【０１１２】
６８Ａは、電力指令装置５の入出力部３０Ａとの間で直接無線通信を行うための通信アンテナ部であり、前記液晶画面９５の後方の空間内に水平に設置されている。この通信アンテナと送受信回路（図示せず）とによって無線通信用の入出力部６８を構成している。
【手続補正１６】
【補正対象書類名】明細書
【補正対象項目名】０１１４
【補正方法】変更
【補正の内容】
【０１１４】
無線入出力部４１は、２つの入出力部から構成され、その１つは、前記広域通信回路網（通信ネットワーク）１６との間で所定の通信を行う無線入出力部４１Ａであり、他の１つは、前記電力指令装置５のＮＦＣ入出力部４０及び保湿用空気供給機２０のＮＦＣ入出力部６３との間で、それぞれ近距離無線通信する無線入出力部４１Ｂである。
【手続補正１７】
【補正対象書類名】明細書
【補正対象項目名】０１２１
【補正方法】変更
【補正の内容】
【０１２１】
ＣＰＵ７７が上記のアプリケーション・ソフトウェア部８０に従って処理を実行することによって、所定の受信処理部８１、送信処理部８２、通信確立部８３、表示制御部８４、選択確定部８５、の各機能が実現される。これら各部分の動作について後で説明する。
【手続補正１８】
【補正対象書類名】明細書
【補正対象項目名】０１２５
【補正方法】変更
【補正の内容】
【０１２５】
図６において、表示コントローラー９１Ｂは、表示用メモリー９１Ａに記憶された画像情報を読み出し、この画像情報に基づいて、コモンドライバー９１Ｅおよびセグメントドライバー９１Ｆを継続的に駆動する。コモンドライバー９１Ｅおよびセグメントドライバー９１Ｆは、表示画面１０１の各画素に対応して設けられた互いに交差する電極に電圧を印加することで液晶を駆動する。
【手続補正１９】
【補正対象書類名】明細書
【補正対象項目名】０１４４
【補正方法】変更
【補正の内容】
【０１４４】
この実施の形態１でいう「保湿運転」とは、電熱源９０によって所定量の高温水蒸気が発生した時点から、その電熱源９０の通電を完全に停止し、これと同時又はその後に電動送風機５５を停止した時点までの期間をいう。電熱源９０に通電開始しても、直ぐに高温蒸気が発生しないので、その途中段階は、「保湿運転」には該当しない。大凡、図１９に示すＬ７の時点からＬ９の時点までの期間が、保湿運転の期間に近い。また電熱源９０の通電を停止しても、直ちに水蒸気の発生が停止しないが、電動送風機５５の通電停止以降は、保湿運転時間としてカウントしない。なお、カートリッジタンク５６の容量に限界があるため、保湿運転の時間を長くすることには限界があるので、前記電熱源９０の通電を間欠的に行うようにしても良い。また、「保湿運転」を、電熱源９０に通電開始した時点からその電熱源９０の通電を完全に停止した時点までの期間と定義しても良い。
【手続補正２０】
【補正対象書類名】明細書
【補正対象項目名】０１８１
【補正方法】変更
【補正の内容】
【０１８１】
先に起動しておいた情報通信端末機器２５を保湿用空気供給機２０のＮＦＣ用入出力部６３に接近させる。すると、情報通信端末機器２５は、記憶部７８に格納されているアプリケーション・ソフトウェア部８０を起動することによって処理が開始される。
ステップＳＶ１において、情報通信端末機器２５の通信確立部８３は、情報通信端末機器２５と保湿用空気供給機２０の間にＮＦＣ通信セッションが確立されることを監視している。ＮＦＣ通信は、１３．５６ＭＨｚ帯の電波を利用した近距離無線通信である。
【手続補正２１】
【補正対象書類名】明細書
【補正対象項目名】０１９４
【補正方法】変更
【補正の内容】
【０１９４】
その後、制御部７６は表示部７３に、ＮＦＣ通信セッションは切断することを表示し、使用者が所定時間内に新たな操作入力をしない限り、ＮＦＣ通信セッションを自動的に遮断して一連の処理を終了する。なお、使用者が受信した前記「異常内容情報」は、情報通信端末機器２５のアプリケーション・ソフトウェア部８０のメモリー８６に記憶されるので、使用者は後日その内容を再び読み出して表示部７３に表示させることができる。またその「異常内容情報」は、情報通信端末機器２５の通信機能を使って広域通信回路網１６経由で保湿用空気供給機２０の販売会社や修理業者のサーバー等に送信することもできるし、情報通信端末機器２５を修理業者等の所まで持参して、当該業者のところで異常監視データの内容を見せることができる。また、そのような場合、保湿用空気供給機２０の識別情報も記録されているので、修理業者等に正確な識別情報を伝達できる。
【手続補正２２】
【補正対象書類名】明細書
【補正対象項目名】０２３２
【補正方法】変更
【補正の内容】
【０２３２】
１３１は、ヘルプモードキーであり、使用者がこれに触れると、その場面で使用者の操作に参考になる情報が表示されるとともに、別途設けた音声ガイド装置（図示せず）によって、正しい操作方法が音声で報知される。なお、何度もこのキーを押した場合、この表示画面１０１の見方や操作方法が、模式図と文字で表示画面１０１全体に表示される。
【手続補正２３】
【補正対象書類名】明細書
【補正対象項目名】０２３９
【補正方法】変更
【補正の内容】
【０２３９】
具体的には、快適度（快適性）の情報として、１３７Ａは、気温と湿度とから、前記電力指令装置５によって算出される星形の快適度マークである。
ところで、日本では、気温と湿度で算出する不快指数という指標がある。例えば、気温２９℃、湿度７０％では、不快指数８０である。この不快指数が７５を越えると人口の１０％が不快に感じ、８０を越えると全員が不快になると言われている。
【手続補正２４】
【補正対象書類名】明細書
【補正対象項目名】０２４３
【補正方法】変更
【補正の内容】
【０２４３】
前記対策１、対策２の動作指令を出してから５分以内に、気温２９℃未満か、湿度７０％未満に改善されない場合は、当該居住空間にいる人が暑さを体感していない場合も想定されるので、この場合は、制御部３６は次に示す「第２次警報」を出すための処理をする。
対策３：当該居住空間にある環境改善機器の内、冷房能力（気温上昇抑制効果）のある空気調和機３を強制的に運転開始する（例えば、その時の室内目標温度は２７℃）。
そしてこれら第１次警報と第２次警報を出したかどうかを前記環境詳細情報１３６（図１８参照）に含めて表示しても良い。
【手続補正２５】
【補正対象書類名】明細書
【補正対象項目名】０２４６
【補正方法】変更
【補正の内容】
【０２４６】
屋外にいる居住者が遠隔操作で電力指令装置５を経由して空気調和機３の運転を行うようにするが、これが出来ない場合には、近親者や介護ヘルパー派遣事務所などに連絡して直接居住空間に出向いて貰うこともできる（この場合、玄関の電子錠の開錠方法は、居住者Ｂがその訪問者に伝える）。つまり、前記制御部３６は、前記第２次警報信号を受けてから所定時間内に気温と湿度が第１の所定値未満の状態に改善しない場合、居住空間の外にいる居住者に対して、環境状態が危険であることを報知する。この構成であるから、環境改善機器の使用に不慣れな高齢者や子供が１人で部屋にいる場合でも、その環境を前記環境検知部９が見守り、屋内居住空間での安全性を高めることが期待できる。
【手続補正２６】
【補正対象書類名】明細書
【補正対象項目名】０２５９
【補正方法】変更
【補正の内容】
【０２５９】
また、空気調和機３が保湿運転期間中に運転されていたかどうかに関係なく、少なくとも前記運転情報信号Ｌ７からＬ９までの期間中、つまり実質的に保湿運転が行われていた期間中の平均気温等のデータを、制御部３６は保湿用空気供給機２０へ送信する。この平均気温等のデータは、環境検知部９から制御部３６が取得した環境データに基づく。すなわち、第２の記憶部３６Ｂには、保湿用空気供給機２０の保湿運転中に、その保湿用空気供給機２０が使用された居住空間の環境データ（例えば、気温、室温）が、その保湿運転時間と対になって時系列で記録されており、この環境データが居住者に利用されるようになっている。
【手続補正２７】
【補正対象書類名】明細書
【補正対象項目名】０２６２
【補正方法】変更
【補正の内容】
【０２６２】
電力削減要請信号ＡＳ２とは、速やかに電力を下げて欲しいと電力指令装置５が促す信号であり、この信号から所定時間以内に総電力量が下がらない場合には強制的に電力を下げる。そのため、前記した電力削減要請信号ＡＳ２を発してから所定時間内（例えば、数秒〜１０秒以内）に電力削減指令信号ＡＳ３が発せられる。電力削減要請信号ＡＳ２が発せられてから所定時間内に保湿用空気供給機２０やその他家電機器ＥＥの何れかが電力を自発的に下げたことにより、十分な余裕電力が確保された場合、前記電力削減要請信号ＡＳ２は撤回される場合があり得る。
【手続補正２８】
【補正対象書類名】明細書
【補正対象項目名】０２６７
【補正方法】変更
【補正の内容】
【０２６７】
また、実施の形態１で示した電力制御システムは、保湿用空気供給機２０等の家電機器ＥＥが、家屋の外部にある通信ネットワーク（広域通信回路網）１６と直接接続されていない。それら家電機器ＥＥは、電力指令装置５を介して通信ネットワーク９８と接続されているので、通信ネットワーク１６を通じて外部から保湿用空気供給機２０等が不正な遠隔操作をされるリスクを大幅に低減できる。すなわち、一般的に、キッチン内家電機器ＫＰや寝室や居間等で使用される家電機器は、高性能のファイアーウォール、情報処理デバイスを内蔵しておらず、十分なセキュリティ機能を備えていないものが多い。このため通信ネットワークを通じて外部から冷蔵庫等のキッチン内家電機器ＫＰに不正侵入され、他人の情報端末機器やコンピュータ等への攻撃の踏み台として使われていたという事例が最近社会問題になっている。セキュリティ専門機関等は、ボットネット（ＢＯＴＮＥＴ）型マルウェア（ＭＡＬＷＡＲＥ）を使って他人のコンピュータを操るのと同じ手口で、家庭用のルーターや家電機器が不正に操られていると危険性を指摘している。
【手続補正２９】
【補正対象書類名】明細書
【補正対象項目名】０２７１
【補正方法】変更
【補正の内容】
【０２７１】
前記「通信アダプター」とは、個々の家電機器とその電源との間に設けられる通信制御機器をいう。例えばここでいう通信アダプターとは、特開２０１０−２８８３８８号公報に示されるような通信アダプターをいい、電源プラグとコンセントを有し、そのコンセントに通電を制御すべき電気機器を接続する。そして電力指令信号を通信アダプターが無線や有線通信手段によって受け取ると、制御すべき家電機器の電源供給を制限し、又は遮断する。このように既存の家電機器に通信アダプターを接続し、その通信アダプターに電力指令装置５から電力指令信号を送り、その信号によって通信アダプターが家電機器を制御するので、既存の家電機器にも通信アダプターを電源側に介在させることで、電力指令装置５によって電力を集中制御できる利点が得られる。
【手続補正３０】
【補正対象書類名】明細書
【補正対象項目名】０３３８
【補正方法】変更
【補正の内容】
【０３３８】
そして、制御部３６は、このステップ（Ｓ２０８）までの経緯を示すデータを第２の記憶装置３６Ｂに保存する。そのため、使用者の不在が検知されて中断モードになっていた時間データも同時に保存される（Ｓ２０８）。そしてこれら保存データは、使用者が次の使用時に最初に液晶表示画面３７Ａによって表示することで、使用者には中断した事実を報知することができる。なお、制御部３６は、保湿用空気供給機２０の専用の第２の記憶部３６Ｂを保有しており、その第２の記憶装置３６Ｂには、睡眠判定装置２４から送信されて取得した睡眠時間、時刻等の各種データやその解析結果の情報が、それを実際に取得した日付や時刻等の詳細情報と対になって時系列に記憶されている。
【手続補正３１】
【補正対象書類名】明細書
【補正対象項目名】０３３９
【補正方法】変更
【補正の内容】
【０３３９】
そして、制御部３６は、それまでに取得した睡眠時間データや中断時間データ等を、保湿用空気供給機２０へ送信する。そして保湿用空気供給機２０に対し運転停止指令信号を発する。そしてその運転停止指令信号を受けて運転停止した場合、保湿用空気供給機２０から確認のために、所定の運転情報信号（図１９における、Ｌ８、Ｌ９）を出すように指令する（Ｓ２０９）。
【手続補正３２】
【補正対象書類名】明細書
【補正対象項目名】０３４０
【補正方法】変更
【補正の内容】
【０３４０】
この後、制御部３６は、保湿用空気供給機２０から上記したような運転停止したことを示す所定の運転情報信号を受信し（Ｓ２１０）、一連の中断モードに対応した処理を終える（Ｓ２１１）。
【手続補正３３】
【補正対象書類名】明細書
【補正対象項目名】０３４１
【補正方法】変更
【補正の内容】
【０３４１】
なお、図２５では、保湿運転を開始した後の人の不在に対応する処理であったが、図２３に示したように、保湿運転開始前における使用者の不適切な移動による不在時にも対応できる。すなわち、保湿用空気供給機２０から保湿運転開始の予告信号を受信し、統合管理装置５から保湿運転開始許可信号ＫＳ（図１９参照）が出された後、統合管理装置５は人検知部６５から定期的に送信されてくる人検知信号を分析して、人が居るという信号かどうかのチェックを行っているので、このチェックの中で人が不在であるという信号を受信した場合には、その不在時間が短い場合に、図２３におけるスタンバイ・モードの開始ステップ（Ｓ３８）を保湿用空気供給機２０に指令する。
【手続補正３４】
【補正対象書類名】明細書
【補正対象項目名】０３４２
【補正方法】変更
【補正の内容】
【０３４２】
また不在時間が長い場合には、図２３のステップ（Ｓ４２）に示したように、「お任せモード」を解除する指令を保湿用空気供給機２０に向けて出す。この場合、統合管理装置５は、保湿用空気供給機２０の人検知部６５の情報に加え、自身が保有する人検知部１２の情報も利用する。
【手続補正３５】
【補正対象書類名】明細書
【補正対象項目名】０３６５
【補正方法】変更
【補正の内容】
【０３６５】
（図１〜図２６までの実施の形態１の総括）
以上説明した通り、実施の形態１における保湿用空気供給機２０は、
保湿用の空気を吹きだす吹出口５２を有した本体２０Ａと、
前記本体２０Ａ内部に設けられ、前記保湿用空気のための蒸気を発生させる蒸気発生部５９と、
前記蒸気発生部５９の蒸気を前記吹出口５２から室内へ吹き出す気流を生成する電動送風機５５と、
前記蒸気発生部５９と前記電動送風機５５を制御する制御部３３と、
前記本体２０Ａの外部から前記制御部３３に対して運転条件を入力する操作部７１と、
前記操作部７１の入力結果を表示する表示部１０１と、
外部と信号の授受を行うための通信部６３、６８と、
保湿用空気の放出方向の延長線上における人の存在を検知する人感知センサー６５Ｓと、
を備えた保湿用空気供給機において、
保湿運転を決定する運転プログラムを記憶させ、また前記通信部６３、６８を介して受け取った睡眠時間帯のデータを記憶する記憶部３１、３３Ｒと、を備え、
前記操作部７１には、前記記憶部に記憶させた睡眠時間帯の中で、前記保湿運転が開始され、かつ終了するように保湿運転の運転時間の自動調節を前記制御部に指令する入力キー１０２（表示画面１０１中に適時現れる「お任せモード」又は「睡眠時間対応モード」アイコンを含む）を設け、
さらに、前記制御部３３は、使用者が運転開始指令を与えてから、所定時間内に前記人感知センサー６５Ｓで、人が感知できない場合、消費電力を減らしたスタンバイ・モードに移行することを特徴とする構成であった。
【手続補正３６】
【補正対象書類名】明細書
【補正対象項目名】０３６７
【補正方法】変更
【補正の内容】
【０３６７】
さらに、実施の形態１における保湿用空気供給機２０は、
保湿用の空気を吹きだす吹出口５２を有した本体２０Ａと、
前記本体２０Ａ内部に設けられ、前記保湿用空気のための蒸気を発生させる蒸気発生部５９と、
前記蒸気発生部５９の蒸気を前記吹出口５２から室内へ吹き出す気流を生成する電動送風機５５と、
前記蒸気発生部５９と前記電動送風機５５を制御する制御部３３と、
前記本体２０Ａの外部から前記制御部３３に対して運転条件を入力する操作部７１と、
前記操作部の入力結果を表示する表示部１０１と、
外部と信号の授受を行うための通信部６３、６８と、
保湿用空気の放出方向の延長線上における人の存在を検知する人感知センサー６５Ｓと、
を備えた保湿用空気供給機において、
保湿運転を決定する運転プログラムを記憶させる記憶部３３Ｒと、
前記通信部６３、６８を介して受け取った睡眠時間帯のデータを記憶する記憶部３１、３３Ｒと、を備え、
前記制御部３３は、前記通信部６３、６８を介して受け取った前記睡眠時間帯のデータを前記記憶部３１、３３Ｒに記憶させ、
さらに前記操作部７１には、前記記憶部３１、３３Ｒに記憶させた睡眠時間帯の中で、前記保湿運転が開始され、かつ終了するように保湿運転の運転時間の自動調節を前記制御部３３に指令する入力キー（表示画面１０１中に適時現れる「お任せモード」又は「睡眠時間対応モード」アイコンを含む）を設け、
さらに、前記制御部３３は、前記蒸気発生部５９から蒸気を発生させ保湿運転を開始した後、前記人感知センサーにより使用者の存在を監視させ、使用者が感知できない場合には、消費電力を減らした中断モードに移行する構成である。
【手続補正３７】
【補正対象書類名】明細書
【補正対象項目名】０３７３
【補正方法】変更
【補正の内容】
【０３７３】
この実施の形態１における家電機器の、別の運転管理システムは、
可搬式の保湿用空気供給機２０及び空気調和機３を含む複数の家電機器ＥＥと個々に通信を行い、それら家電機器を個々に制御する統合管理装置５と、
広域通信回路網１６を介して前記統合管理装置５と通信する第１の無線通信部４１Ａと、家庭内の通信網を介して又は近距離無線通信部を介して通信する第２の無線通信部４１Ｂと、を備えた情報通信端末機器２５と、を備え、
前記電力指令装置５には、就寝者の睡眠時間を計測するため睡眠センサー２４からの生体情報を受信して睡眠状態を判定する睡眠判定部２３と、前記就寝者の居る居住空間の気温等の環境を計測する環境検知部９と、睡眠判定部２３で取得した睡眠時間データと前記環境検知部９から送信された環境データとを、対にして時系列で記憶する記憶装置３６Ｂ、を有し、
前記保湿用空気供給機２０には、前記統合管理装置５と通信状態が確立できる機器側の第１の通信部６８と、前記情報通信端末機器２５と近距離無線通信により通信状態が確立できる機器側の第２の無線通信部６３と、これら２つの機器側通信部から読み込まれたデータを記憶する機器側記憶部３１、３３Ｒと、運転の開始指令と運転条件を入力する操作部７１と、この操作部の入力結果を表示する表示画面１０１と、保湿用空気の放出方向の延長線上における人の存在を検知する人感知センサー６５Ｓと、前記人感知センサーの感知結果に応じて保湿運転の条件（例えば、電熱源９０へ印加する消費電力量や、その通電のタイミング、期間等）を変更する制御部３３と、を有し、
前記保湿用空気供給機の制御部３３は、前記集中管理装置５から送信された前記睡眠時間データを前記機器側記憶部３１、３３Ｒに記憶させ、
さらに前記保湿用空気供給機２０の制御部３３は、前記機器側記憶部３１、３３Ｒに記憶させた睡眠時間帯に、前記保湿運転の時間帯が重なるように保湿運転のタイミングを自動的に合わせる動作を行い、
前記保湿用空気供給機の制御部３３は、前記操作部７１の入力操作に応じて前記機器側記憶部３１、３３Ｒに記憶させてある前記睡眠時間データと、当該睡眠時間の計測時に対応する環境データとを、前記表示画面１０１に表示させる構成である。
【手続補正３８】
【補正対象書類名】明細書
【補正対象項目名】０３７４
【補正方法】変更
【補正の内容】
【０３７４】
このため、この運転管理システムによれば、家電機器ＥＥを集中制御する集中管理装置５を利用して、効果的な保湿運転を行わせることができる。すなわち、スマートフォン等の情報通信端末機器２５を利用して、前記電力指令装置５で取得している睡眠時間データと気温等の環境データとを保湿用空気供給機２０へ提供するから、保湿用空気供給機２０では、睡眠時間のデータに基づいて保湿運転時間を決めることができ、使用者が睡眠している間に効果的に保湿運転を行える。また、使用者が睡眠時間の確認する際に、その睡眠時の気温等の環境情報も確認できるから、再び保湿用空気供給機２０を使用する前に、保湿運転のタイミングを検討する際に参考となる。このため、集中管理装置は、単に家電機器ＥＥを集中制御できるだけではなく、保湿用空気の供給を効果的に行えるために機能し、利用価値を向上させることも期待できる。また使用者が保湿用空気供給機２０の所定方向（前方）に居ない場合には、保湿運転を見合わせ、又はその運転開始時期を遅らせることを自動的に行わせることができ、省エネ効果を向上させることが期待できる。
【手続補正３９】
【補正対象書類名】明細書
【補正対象項目名】０４０１
【補正方法】変更
【補正の内容】
【０４０１】
この後ステップ（Ｓ１２３）から、保湿用空気供給機２０の人検知部６５によって、保湿用空気供給機２０の前方位置に人が居るかどうかの検知を行う（Ｓ１１８）。ここで「Ｎｏ」判定であった場合には、ステップＳ１２４へ進み、統合管理装置５の人検知部１２によって使用者が居るかどうかをチェックする。既に使用者が就寝場所において入眠の直前状態であり、その場合にその使用者を、保湿用空気供給機２０の人検知部６５の人感知センサー６５Ｓが検知できない可能性があるための措置である。例えば、使用者の身体の大半が寝具等で覆われ、人検知部６５の人感知センサー６５Ｓでは、その使用者の体から発せられる赤外線を検知できない場合がある。
【手続補正４０】
【補正対象書類名】明細書
【補正対象項目名】０４４７
【補正方法】変更
【補正の内容】
【０４４７】
１８９は、家屋の外の空気中に飛散している花粉の量が多いかどうかを表示する花粉飛散量表示情報であり、花粉アレルギーの人達にとっては外出を控えたりする判断材料にもなり、有益な情報である。なお、この花粉飛散量表示部の基礎データは、日本の気象庁やその他気象専門機関、ＴＶ放送局などから提供されるので、前記した花粉センサーの情報に加え、あるいはその花粉センサーを設ける代わりに、それら外部機関からの情報を利用しても良い。そのような外部情報は外部機関１５Ａ、１５Ｂから統合管理装置５又はＴＶ受像機２が取得する。
【手続補正４１】
【補正対象書類名】明細書
【補正対象項目名】０４６０
【補正方法】変更
【補正の内容】
【０４６０】
ステップ（ＳＹ２３）では、環境検知部９は、環境センサーから、最新の環境データを取得する。この場合の、対象となる居住空間は、前記保湿用空気供給機２０が保湿運転開始すると予告信号を発した時点（図２９のステップＳ１０１参照）の、その場所である。
【手続補正４２】
【補正対象書類名】明細書
【補正対象項目名】０４６１
【補正方法】変更
【補正の内容】
【０４６１】
環境検知部９は、実施の形態１では、例えば、空気調和機３のある居住空間（寝室）ＨＡ２においては、１０分間隔で、またキッチンでは５分間隔で気温と湿度を計測していると説明したので、その定期的に取得した環境データを、最新のデータとして利用しても良い。しかしながら、更に正確なデータを取得するために、前記ステップ（ＳＹ２３）の段階で、臨時に（リアルタイムで）環境センサーから、最新の環境データを取得する方が望ましい。
【手続補正４３】
【補正対象書類名】明細書
【補正対象項目名】０４６４
【補正方法】変更
【補正の内容】
【０４６４】
制御部３６は、２つのステップ（ＳＹ２３、ＳＹ２４）で取得した各種データを第２の記憶部３６Ｂ（第２のメモリー）に一時的に記憶させる。
実施の形態１で説明したように、前記制御部３６には、保湿用空気供給機２０の専用の第２の記憶部３６Ｂを保有しており、睡眠判定部２３によって取得された睡眠時間、時刻等の各種データやその解析結果の情報が、それを実際に取得した日付や時刻等の詳細情報と対になって時系列に記憶されている。
またその第２の記憶部３６Ｂは、保湿用空気供給機２０の保湿運転中において、保湿用空気供給機２０が使用された居住空間における環境情報又は環境データ（例えば、気温、湿度）が、その保湿運転時間と対になって、つまり保湿運転時間と環境情報や環境データは、紐付けされて、時系列で記録されるものである。